(57)【要約】【課題】  外観性に優れ、持ち易く、かつ、ダイエットにも効果的なデザート用の透明容器を提供する。【解決手段】  パフェなどのデザートを入れるために使用する透明の容器であって、逆四角錐台形状の筒壁２の下端に四角形状の底板３を設け、筒壁２の四隅内面の所望高さ部分に、上に重ねる他の透明容器１の底板３の角部３ａが上載される突起部４を設ける。さらに、筒壁２の四隅の稜線５を、略円弧状に形成する。【選択図】      図２
0003126633.tif 000002
【実用新案登録請求の範囲】
【請求項１】
パフェなどのデザートを入れるための透明容器であって、逆四角錐台形状の筒壁（２）の下端に四角形状の底板（３）を設け、前記筒壁の四隅内面の所望高さ部分に、上に重ねる他の透明容器の底板の角部（３ａ）が上載される突起部（４）を設けてなるデザート用透明容器。
【請求項２】
パフェなどのデザートを入れるための透明容器であって、逆四角錐台形状の筒壁（２）の下端に四角形状の底板（３）を設け、前記筒壁の四隅内面の所望高さ部分に、上に重ねる他の透明容器の底板の角部（３ａ）が上載される突起部（４）を設け、前記筒壁の四隅の稜線（５）を、略円弧状に形成してなるデザート用透明容器。
【考案の詳細な説明】
【技術分野】
【０００１】
本考案は、パフェなどのデザートを入れるための透明容器に関するものである。
【背景技術】
【０００２】
従来、図１に示すように、パフェなどのデザートを入れるための透明容器１０として、逆円錐台形状の筒壁１１の下端に底板１２を設けたものが広く使用されている。
【０００３】
この従来の透明容器１０は、非使用時に重ねて収納できるようにするために、筒壁１１の内面に円環状の凸条部１３を周設している。
【考案の開示】
【考案が解決しようとする課題】
【０００４】
こうした従来のデザート用透明容器１０には、次のような問題がある。
（１）筒壁１１の内面に円環状の凸条部１３を周設しているので、当該凸条部１３が目立ち易く、外観の見栄えが悪い。
（２）筒壁１１が逆円錐台形状（水平断面形状が円形）であるため、特に、幼児が手で持った際に、指との接触面積が小さいために滑り易く、よって、中身のデザートをこぼしてしまい易い。
（３）筒壁１１が逆円錐台形状（水平断面形状が円形）であるため、特に上から見た場合、中身のデザートがボリューム感に欠けて視覚されるので、満腹感が得られ難い。その結果、ダイエットの観点から問題がある。
【０００５】
本考案はこうした問題に鑑み創案されたもので、外観性に優れ、持ち易く、かつ、ダイエットにも効果的なデザート用の透明容器を提供することを課題とする。
【課題を解決するための手段】
【０００６】
図２乃至図７を参照して説明する。請求項１に記載のデザート用透明容器１は、パフェなどのデザートを入れるためのものであって、逆四角錐台形状の筒壁２の下端に四角形状の底板３を設け、前記筒壁２の四隅内面の所望高さ部分に、上に重ねる他の透明容器１の底板３の角部３ａが上載される突起部４を設けてなるものである。
【０００７】
請求項２に記載のデザート用透明容器１は、パフェなどのデザートを入れるためのものであって、逆四角錐台形状の筒壁２の下端に四角形状の底板３を設け、前記筒壁２の四隅内面の所望高さ部分に、上に重ねる他の透明容器１の底板３の角部３ａが上載される突起部４を設け、前記筒壁２の四隅の稜線５を、略円弧状に形成してなるものである。
【考案の効果】
【０００８】
請求項１に記載のデザート用透明容器１は、筒壁２の四隅のみに、上に重ねる他の透明容器１のための突起部４を設けているので、従来の円環状の凸条部を設けたものと比較して、当該突起部４が目立ち難い。従って、外観の見栄えに優れる。
【０００９】
また、この透明容器１は、筒壁２を逆四角錐台形状（水平断面形状が四角形）としているので、当該筒壁２を手で持つ場合には、図７に示すように、親指と他の四本の指との接触面積が大きいために滑り難い。従って、中身のデザートをこぼしてしまうことがない。
【００１０】
さらに、この透明容器１は、筒壁２が逆円錐台形状（水平断面形状が四角形）であるため、特に上から見た場合に、その角部３ａが四方に拡がった状態で視覚される。従って、中身のデザートにボリューム感が感じられて、充分な満腹感を得ることができるので、ダイエットにも効果的である。
【００１１】
請求項２に記載のデザート用透明容器１は、請求項１に記載の考案と同様に、外観性に優れ、滑り難く、ダイエットにも効果的であるといった効果を発揮する。
【００１２】
また、この透明容器１は、筒壁２の四隅の稜線５を略円弧状に形成しているので、横から見た場合に、上方に向けて大きく末広がり状に拡大して視覚され、中身のデザートにさらにボリューム感が感じられる。従って、さらに満腹感を得ることができるので、ダイエットにより効果的である。
【００１３】
また、筒壁２の四隅の稜線５を略円弧状に形成したことによって、特に横から見た場合のデザインが綺麗である。従って、より外観性に優れる。
【考案を実施するための最良の形態】
【００１４】
本考案に係るデザート用透明容器１の実施形態を、図２乃至図７に示す。これは、デザートであるパフェを入れるための透明容器１であり、逆四角錐台形状の筒壁２の下端に四角形状の底板３を設け、その筒壁２の四隅内面の中間高さ部分に、その上に重ねる他の透明容器１の底板３の角部３ａが上載される突起部４を設けている。透明容器１を重ねた状態を、図６に示す。また、筒壁２の四隅の稜線５を、略円弧状（湾曲状）に形成している。
【００１５】
なお、本実施形態では、筒壁２の四隅の平面形状を、円弧状に形成している。また、本実施形態における突起部４は、筒壁２の中間高さ部分に設けているが、本考案はこれに限定されず、それより上位または下位に設けることもできる。さらに、本実施形態では、筒壁２を平面正方形に形成しているが、長方形に形成することもできる。
【００１６】
本実施形態に係るデザート用透明容器１は、筒壁２の四隅のみに突起部４を設けているので、当該突起部４が目立ち難く、よって、外観性に優れる。また、この透明容器１は、筒壁２を逆四角錐台形状（水平断面形状が四角形）としているので、当該筒壁２を手で持った際に、親指と他の四本の指とに対する接触面積が大きい（図７参照）。従って、幼児が持った場合でも滑り難く、中身のパフェをこぼしてしまうこともない。
【００１７】
さらに、この透明容器１は、筒壁２を逆円錐台形状（水平断面形状が四角形）としているので、特に上から見た場合に、その角部３ａが四方に拡がった状態で視覚される。従って、中身のパフェにボリューム感が感じられるので満腹感を得ることができ、ダイエットにもきわめて効果的である。
【００１８】
また、この透明容器１は、筒壁２の四隅の稜線５を略円弧状に形成しているので、横から見た場合に、上方に向けて大きく末広がり状に拡大して視覚されるので、中身のデザートにさらにボリューム感が感じられる。これにより、さらに満腹感を得ることができるので、ダイエットにより効果的である。
【００１９】
さらに、この透明容器１は、筒壁２の四隅の稜線５を略円弧状に形成したことにより、特に横（正面）から見た場合の形状が綺麗であり、よって、さらに外観性に優れる。
【図面の簡単な説明】
【００２０】
【図１】従来例に係るデザート用透明容器を示す一部透視斜視図である。
【図２】本考案に係るデザート用透明容器の実施形態を示す一部透視斜視図である。
【図３】図２に示す透明容器の一部透視正面図（側面図）である。
【図４】図２に示す透明容器の一部透視平面図である。
【図５】図４のＡ−Ａ線断面図である。
【図６】図４のＢ−Ｂ線断面において、図２に示す透明容器を積み重ねた状態を示す図である。
【図７】図２に示す透明容器を手で持った状態を示す平面図である。
【符号の説明】
【００２１】
１      透明容器
２      筒壁
３      底板
３ａ    角部
４      突起部
５      稜線
１０    透明容器
１１    筒壁
１２    底板
１３    凸条部
【図１】
0003126633.tif 000003
【図２】
0003126633.tif 000004
【図３】
0003126633.tif 000005
【図４】
0003126633.tif 000006
【図５】
0003126633.tif 000007
【図６】
0003126633.tif 000008
【図７】
0003126633.tif 000009